(57)【特許請求の範囲】
【請求項１】
浴室の浴槽に給湯を行う給湯システムと連動する浴室暖房装置であって、
前記浴室に空気を吹き出す送風手段と、
前記送風手段で吹き出される空気を加熱する加熱手段と、
前記送風手段と前記加熱手段を制御して暖房運転を行う制御手段とを備え、
前記制御手段は、前記浴槽への給湯の開始を指示する給湯開始信号に基づき、前記給湯システムと連動して暖房運転を行うか否かを判断し、暖房運転を行うと判断すると、第２の目標温度より低い第１の目標温度に向けた暖房運転を実行する
ことを特徴とする浴室暖房装置。
【請求項２】
前記制御手段は、前記給湯システムで前記浴槽への給湯を開始するタイミングに応じた第１の起点で、第１の目標温度に向けた暖房運転を実行し、前記浴槽への給湯を終了するタイミングに応じた第２の起点で、第２の目標温度に向けた暖房運転を実行する
ことを特徴とする請求項１に記載の浴室暖房装置。
【請求項３】
前記浴室の温度を検出する温度検出手段を備え、
前記制御手段は、前記温度検出手段で検出した前記浴室の温度が暖房目標温度未満であると、第１の起点で第１の目標温度に向けた暖房運転を実行し、前記浴室の温度が暖房目標温度以上であると、第１の目標温度に向けた暖房運転を非実行とする
ことを特徴とする請求項２に記載の浴室暖房装置。
【請求項４】
前記制御手段は、前記浴室の温度が暖房目標温度以上であると、第２の起点で第２の目標温度に向けた暖房運転を実行する
ことを特徴とする請求項３に記載の浴室暖房装置。
【請求項５】
前記制御手段は、前記給湯開始信号に基づく暖房運転では、第１の目標温度に向けた暖房運転を実行し、前記給湯開始信号に基づかない暖房運転では、第２の目標温度に向けた暖房運転を実行する
ことを特徴とする請求項１〜請求項４の何れか１項に記載の浴室暖房装置。
【発明の詳細な説明】
【技術分野】
【０００１】
本発明は、浴室の暖房を行う浴室暖房装置に関する。
【背景技術】
【０００２】
従来から、浴室の天井等に設置され、浴室の暖房、浴室及び他室の換気、浴室及び浴室内にある被乾燥物の乾燥等の機能を実現した浴室暖房換気乾燥装置と称される浴室暖房装置が提案されている。
【０００３】
また、浴室暖房装置における浴室の暖房運転と、浴槽に湯を溜める給湯運転を連動させる技術が提案されている。すなわち、給湯器を操作する給湯器操作部で浴槽に湯を溜める給湯開始ボタンが操作されると、給湯器で浴槽への給湯を開始すると共に、浴室暖房装置と通信を行い、浴室暖房装置で通常の暖房運転を開始する。暖房運転では、浴室内の温度を３０℃〜３５℃に維持するように運転し、給湯が完了すると暖房運転を停止する技術が提案されている（例えば、特許文献１参照）。
【０００４】
また、浴槽へ湯を溜める給湯の終了時間と、浴室を適温とする暖房運転の終了時間を予測し、それぞれの終了時間を一致させる技術が提案されている（例えば、特許文献２参照）。
【先行技術文献】
【特許文献】
【０００５】
【特許文献１】特開２００１−１５３３８３号公報
【特許文献２】特開２００４−２９３９２５号公報
【発明の概要】
【発明が解決しようとする課題】
【０００６】
しかし、特許文献１に記載の技術では、浴槽への給湯の開始と連動して浴室の暖房運転を行うと、給湯が終了するより前に浴室内の温度が所定の目標温度に上昇してしまうことがあり、この場合、給湯が完了するまでこの目標温度を維持する制御が行われる。このため、消費エネルギーが増加するという問題がある。
【０００７】
また、特許文献２に記載の技術では、外気温、浴室内の温度、浴室サイズ、給湯器に供給される水温、給湯器の能力、洗面所、台所等の他室での湯の使用状態等により、給湯時間や浴室が所定温度になるまでの時間が変化することから、給湯の終了時間や暖房運転の終了時間を予め正確に予測することは困難である。このため、給湯が終了する前に給湯が終了するより前に浴室内の温度が所定の目標温度に上昇してしまうことがあり、この場合、給湯が完了するまでこの目標温度を維持する制御が行われる。このため、消費エネルギーが増加するという問題がある。
【０００８】
さらに、給湯の終了時間や暖房運転の終了時間を正確に予測するためには、センサを増やす等の対応が必要となり、装置が複雑化してコストアップの要因となる。
【０００９】
本発明は、このような課題を解決するためになされたもので、浴槽への給湯と連動し、エネルギー消費を抑制して暖房運転を簡易な構造で行えるようにした浴室暖房装置を提供することを目的とする。
【課題を解決するための手段】
【００１０】
上述した課題を解決するため、本発明は、浴室の浴槽に給湯を行う給湯システムと連動する浴室暖房装置であって、浴室に空気を吹き出す送風手段と、送風手段で吹き出される空気を加熱する加熱手段と、送風手段と前記加熱手段を制御して暖房運転を行う制御手段とを備え、制御手段は、浴槽への給湯の開始を指示する給湯開始信号に基づき、給湯システムと連動して暖房運転を行うか否かを判断し、暖房運転を行うと判断すると、第２の目標温度より低い第１の目標温度に向けた暖房運転を実行する浴室暖房装置である。
【００１１】
本発明では、浴槽への給湯の開始を指示する給湯開始信号が入力されると、通常の暖房運転時の第２の目標温度より低い第１の目標温度に向けた暖房運転を実行する。
【発明の効果】
【００１２】
本発明によれば、浴槽への給湯と連動して、消費エネルギーを抑制しつつ、浴室の暖房を簡易な構造で行うことができる。
【図面の簡単な説明】
【００１３】
【図１】本実施の形態の浴室暖房換気乾燥装置の一例を示す機能ブロック図である。
【図２】本実施の形態の浴室暖房換気乾燥装置を備えた浴室暖房システムの一例を示す構成図である。
【図３】給湯連動暖房運転モードにおける浴室温度の変化の一例を示す説明図である。
【図４】給湯連動暖房運転モードの一例を示すフローチャートである。
【図５】通常の暖房運転と給湯連動暖房運転モードにおける浴室温度の変化の一例を示す説明図である。
【図６】給湯連動暖房運転モードにおける浴室温度の変化の他の例を示す説明図である。
【図７】給湯連動暖房運転モードの他の例を示すフローチャートである。
【図８】給湯連動暖房運転モードにおける浴室温度の変化の他の例を示す説明図である。
【図９】給湯連動暖房運転モードの他の例を示すフローチャートである。
【発明を実施するための形態】
【００１４】
以下、図面を参照して、本発明の浴室暖房装置及び浴室暖房システムの実施の形態について説明する。
【００１５】
＜本実施の形態の浴室暖房換気乾燥装置及び浴室暖房システムの構成例＞
図１は、本発明の浴室暖房装置である本実施の形態の浴室暖房換気乾燥装置の一例を示す機能ブロック図、図２は、本実施の形態の浴室暖房換気乾燥装置を備えた浴室暖房システムの一例を示す構成図である。
【００１６】
浴室暖房システム１００を備えた建物２００について、図２を参照して説明すると、建物２００は、浴室２０１、洗面脱衣所２０２及び台所２０３等の室を有し、浴室２０１、洗面脱衣所２０２及び台所２０３等に給湯を行う給湯システム３００を備える。
【００１７】
給湯システム３００は、水を加熱して湯を生成する給湯器３０１と、運転モードの選択等の利用者の操作を受け、利用者の操作に基づく給湯器制御信号を出力する給湯器操作部を備える。本例では、第１の給湯器操作部３０２ａを台所２０３に備え、第２の給湯器操作部３０２ｂを浴室２０１に備える。第１の給湯器操作部３０２ａ及び第２の給湯器操作部３０２ｂは、有線または無線で給湯器３０１と接続される。
【００１８】
給湯システム３００は、第１の給湯器操作部３０２ａまたは第２の給湯器操作部３０２ｂの操作で、浴室２０１に備えられる浴槽２０１ａに給湯器３０１で給湯を行って湯を溜める給湯運転等を実行する。
【００１９】
すなわち、給湯システム３００は、第１の給湯器操作部３０２ａ及び第２の給湯器操作部３０２ｂで給湯開始ボタンが操作されると、給湯の開始を指示する給湯開始信号Ｓ１００を出力する。給湯システム３００は、給湯開始信号Ｓ１００に基づき、給湯を開始することを第１の給湯器操作部３０２ａ及び第２の給湯器操作部３０２ｂで音声等により出力する。また、給湯システム３００は、給湯開始信号Ｓ１００に基づき、給湯器３０１で浴槽２０１ａに給湯を行う。
【００２０】
また、給湯システム３００は、給湯が終了する所定時間前に到達すると、給湯終了予告信号Ｓ１０１を出力する。給湯システム３００は、給湯終了予告信号Ｓ１０１に基づき、給湯が終了する所定時間前に到達したことを、第１の給湯器操作部３０２ａ及び第２の給湯器操作部３０２ｂで音声等により出力する。
【００２１】
更に、給湯システム３００は、給湯器３０１で浴槽２０１ａに所定量の給湯が行われると、給湯を終了する給湯終了信号Ｓ１０２を出力する。給湯システム３００は、給湯終了信号Ｓ１０２に基づき、給湯が終了したことを、第１の給湯器操作部３０２ａ及び第２の給湯器操作部３０２ｂで音声等により出力する。また、給湯システム３００は、給湯器３０１による浴槽２０１ａへの給湯を終了する。
【００２２】
浴室暖房換気乾燥装置１Ａは、給湯システム３００と信号の授受を可能とし、給湯システム３００から出力される給湯開始信号Ｓ１００、給湯終了予告信号Ｓ１０１及び給湯終了信号Ｓ１０２に基づき、浴槽２０１ａへの給湯と連動して浴室２０１を温める給湯連動暖房運転モードを実行する。
【００２３】
次に、浴室暖房換気乾燥装置１Ａについて説明すると、浴室暖房換気乾燥装置１Ａは、浴室２０１の天井に設置される。また、浴室暖房換気乾燥装置１Ａは、運転モードの選択等の利用者の操作を受け、利用者の操作に基づく制御情報を出力する操作部１０が、浴室暖房換気乾燥装置１Ａと独立して設けられる。操作部１０は操作手段の一例で、洗面脱衣所２０２に備えられ、有線または無線で浴室暖房換気乾燥装置１Ａと接続される。
【００２４】
浴室暖房換気乾燥装置１Ａは、浴室２０１から空気を吸い込んで、屋外に排気する換気ファン１１と、浴室２０１から空気を吸い込み、吸い込んだ空気を循環させて浴室２０１に吹き出す送風手段としての循環ファン１２を備える。なお、浴室２０１内の空気の循環と、屋外への排気を行う機能を、２つのファンで行う構成でも良く、また、１つのファンと風路を切り替えるダンパで行う構成としても良い。
【００２５】
また、浴室暖房換気乾燥装置１Ａは、循環ファン１２で浴室２０１に吹き出される空気を加熱する加熱手段としてのヒータ１３を備える。更に、浴室暖房換気乾燥装置１Ａは、浴室２０１の温度を検出する温度センサ１４を備える。温度センサ１４は温度検知手段の一例で、循環ファン１２の図示しない吸込口に設けられ、循環ファン１２で吸い込まれる浴室２０１内の空気の温度を検知する。
【００２６】
浴室暖房換気乾燥装置１Ａは、換気ファン１１、循環ファン１２及びヒータ１３等を制御する制御部１５を備える。制御部１５は制御手段の一例で、操作部１０から入力された制御情報、温度センサ１４から入力された温度情報等に基づき、暖房運転モード、換気運転モード、乾燥運転モード及び涼風運転モードを実行する。
【００２７】
制御部１５は、操作部１０で暖房運転モードが選択されると、循環ファン１２及びヒータ１３を制御して、浴室２０１内に加熱された空気を吹き出す暖房運転を行う。また、制御部１５は、操作部１０で換気運転モードが選択されると、換気ファン１１を制御して、浴室２０１内の空気を屋外に排気する換気運転を行う。なお、浴室暖房換気乾燥装置１Ａは、所定の換気風量で常時の換気運転を行う２４時間換気運転モードを備えている。
【００２８】
更に、制御部１５は、操作部１０で乾燥運転モードが選択されると、換気ファン１１、循環ファン１２及びヒータ１３を制御して、浴室２０１内に加熱された空気を吹き出しながら、浴室２０１内の空気を屋外に排気する乾燥運転を行う。また、制御部１５は、操作部１０で涼風運転モードが選択されると、循環ファン１２を制御して、浴室２０１内に室温に応じた空気を吹き出す涼風運転を行う。
【００２９】
浴室暖房換気乾燥装置１Ａは、給湯システム３００と通信を行う通信部１６を備える。通信部１６は通信手段の一例で、有線または無線で給湯システム３００と接続される。
【００３０】
制御部１５は、給湯システム３００から入力された給湯開始信号Ｓ１００、給湯終了予告信号Ｓ１０１及び給湯終了信号１０２に基づき、給湯連動暖房運転モードを実行する。
【００３１】
制御部１５は、給湯連動暖房運転モードでは、浴室２０１内の温度を、第１の目標温度Ｔ１まで上げる第１の暖房運転ＷＤ１と、浴室２０１内の温度を、第１の目標温度Ｔ１より高い第２の目標温度Ｔ２まで上げる第２の暖房運転ＷＤ２が設定される。なお、第２の目標温度Ｔ２は、通常の暖房運転モードにおける目標温度であり、例えば、３０℃〜４０℃に設定される。
【００３２】
ここで、冬季の居室の温度は一般的には２０℃前後であり、洗面脱衣所２０２の温度も概ね、居室の温度と同じ程度である。そのため、浴室２０１内の温度が１３℃〜１８℃程度であれば、寒さを感じることを抑制できる。このため、第１の目標温度Ｔ１は、１３℃〜１８℃程度である。
【００３３】
本例では、第１の目標温度Ｔ１の上限温度Ｔ１Ｈと下限温度Ｔ１Ｌが設定され、第１の暖房運転ＷＤ１では、浴室２０１内の温度が第１の目標温度Ｔ１の上限温度Ｔ１Ｈと下限温度Ｔ１Ｌとの間に維持されるように、循環ファン１２及びヒータ１３を制御する。ここで、上限温度Ｔ１Ｈは１８℃程度、下限温度Ｔ１Ｌは１３℃程度に設定される。
【００３４】
制御部１５は、給湯システム３００から入力された給湯開始信号Ｓ１００に基づき、給湯連動暖房運転モードを実行する。制御部１５は、給湯開始信号Ｓ１００が入力されると、浴室２０１の温度が第１の目標温度Ｔ１となるように、浴槽２０１ａへの給湯を開始するタイミングに応じた第１の起点で第１の暖房運転ＷＤ１を実行し、浴室２０１内の温度を第１の目標温度Ｔ１に上昇させる。
【００３５】
また、制御部１５は、浴槽２０１ａへの給湯が終了するタイミングに応じた第２の起点で、浴室２０１の温度が第２の目標温度Ｔ２となるように第２の暖房運転ＷＤ２を実行し、浴室２０１内の温度を第２の目標温度Ｔ２に上昇させる。
【００３６】
＜本実施の形態の浴室暖房換気乾燥装置及び浴室暖房システムの動作例＞
図３は、給湯連動暖房運転モードにおける浴室温度の変化の一例を示す説明図、図４は、給湯連動暖房運転モードの一例を示すフローチャートで、次に、各図を参照して、本実施の形態の浴室暖房換気乾燥装置１Ａ及び浴室暖房システム１００の第１の動作例について説明する。
【００３７】
第１の給湯器操作部３０２ａまたは第２の給湯器操作部３０２ｂで給湯開始ボタンが操作されると、給湯システム３００は、給湯の開始を指示する給湯開始信号Ｓ１００を出力する。給湯システム３００は、給湯開始信号Ｓ１００に基づき、給湯器３０１で浴槽２０１ａに給湯を行う。
【００３８】
浴室暖房換気乾燥装置１Ａの制御部１５は、図４のステップＳＡ１で給湯開始信号Ｓ１００が入力されると、ステップＳＡ２で給湯連動暖房運転モードを実行し、ステップＳＡ３で、温度センサ１４から入力された温度情報に基づき、暖房運転の実行の有無を判断する。
【００３９】
制御部１５は、温度センサ１４から入力された温度情報から、浴室２０１内の温度が暖房開始目標温度Ｔ３未満であると、暖房運転を実行する。ここで、暖房開始目標温度Ｔ３は、第１の目標温度Ｔ１より低く、例えば１０℃に設定される。なお、暖房開始目標温度Ｔ３は、第１の目標温度Ｔ１と同じでも良い。
【００４０】
制御部１５は、浴室２０１の温度に基づき給湯連動暖房運転モードで暖房運転を実行すると判断すると、ステップＳＡ４で、第１の起点で第１の目標温度Ｔ１に向けて第１の出力Ｐ１で循環ファン１２及びヒータ１３を制御して第１の暖房運転ＷＤ１を実行する。ここで、給湯連動暖房運転モードにおける暖房運転の実行の有無を温度情報に基づき判断するが、第１の起点は、給湯開始信号Ｓ１００の入力時であり、実質的な同時である給湯開始信号Ｓ１００の入力から数秒後も含む。ステップＳＡ３で、浴室２０１内の温度が暖房開始目標温度Ｔ３以上であると、ステップＳＡ５で暖房運転を実行しない。
【００４１】
制御部１５は、第１の暖房運転ＷＤ１では、浴室２０１内の温度が上限温度Ｔ１Ｈになるまで第１の出力Ｐ１で循環ファン１２及びヒータ１３を制御して暖房運転を行う。浴室２０１内の温度が上限温度Ｔ１Ｈになると、循環ファン１２及びヒータ１３の運転を停止させる。または、循環ファン１２及びヒータ１３の出力を低下させる。
【００４２】
循環ファン１２及びヒータ１３の運転を停止させる、または、循環ファン１２及びヒータ１３の出力を低下させることで、浴室２０１内の温度が下限温度Ｔ１Ｌに下がると、第１の出力Ｐ１で循環ファン１２及びヒータ１３を制御して暖房運転を行い、間欠的に暖房運転を行う。これにより、第１の暖房運転ＷＤ１では、浴室２０１の温度が第１の目標温度Ｔ１の上限温度Ｔ１Ｈと下限温度Ｔ１Ｌの間に維持される。
【００４３】
制御部１５は、ステップＳＡ６で、浴槽２０１ａへの給湯が終了するタイミングに応じた第２の起点として、給湯システム３００から給湯終了信号Ｓ１０２が入力されると、ステップＳＡ７で、第２の暖房運転ＷＤ２を実行する。なお、給湯連動暖房運転モードの開始時の浴室２０１内の温度が暖房開始目標温度Ｔ３以上であると、第１の起点では暖房運転を実行しないが、給湯システム３００から給湯終了信号Ｓ１０２が入力されると、第２の暖房運転ＷＤ２を実行する。
【００４４】
制御部１５は、第２の暖房運転ＷＤ２では、第２の目標温度Ｔ２に向けて第２の出力Ｐ２で循環ファン１２及びヒータ１３を制御して暖房運転を行う。ここで、第１の出力Ｐ１と第２の出力Ｐ２は同じであるが、第２の出力Ｐ２は、第１の出力Ｐ１より大きくしても良い。例えば、第２の出力Ｐ２は、第１の出力Ｐ１よりヒータ１３の出力が大きく設定される。または、第２の出力Ｐ２は、第１の出力Ｐ１よりヒータ１３の出力及び循環ファン１２の回転数が大きく設定される。制御部１５は、ステップＳＡ８で、温度センサ１４から入力された温度情報から、浴室２０１内の温度が第２の目標温度Ｔ２に到達すると、ステップＳＡ９で暖房運転を終了する。なお、制御部１５は、温度センサ１４から入力された温度情報から、浴室２０１内の温度が第２の目標温度Ｔ２に到達すると、暖房運転を間欠的に行って、浴室２０１の温度を第２の目標温度Ｔ２で維持し、予め設定されていた暖房時間を経過すると暖房運転を終了しても良い。
【００４５】
図５は、通常の暖房運転と給湯と連動した暖房運転における浴室温度の変化の一例を示す説明図である。制御部１５は、操作部１０、第１の給湯器操作部３０２ａまたは第２の給湯器操作部３０２ｂで暖房運転モードが選択されると、第２の目標温度Ｔ２に向けて第２の出力Ｐ２で循環ファン１２及びヒータ１３を制御して通常の暖房運転を行う。制御部１５は、温度センサ１４から入力された温度情報から、浴室２０１内の温度が第２の目標温度Ｔ２に到達すると、暖房運転を間欠的に行って、浴室２０１の温度を第２の目標温度Ｔ２で維持する。
【００４６】
入浴前の任意のタイミングで浴室２０１の暖房を行う場合、なるべく短時間で浴室２０１の温度が入浴に適した所定の温度、例えば第２の目標温度Ｔ２に到達することが好ましい。このため、循環ファン１２及びヒータ１３の性能に応じて、なるべく短時間で浴室２０１の温度が第２の目標温度Ｔ２に到達するように第２の出力Ｐ２が決められる。
【００４７】
これに対し、浴槽２０１ａへの給湯のタイミングと連動して浴室２０１の暖房を行う場合、浴槽２０１ａへの給湯に要する時間は、浴槽２０１ａのサイズ、水温、給湯温度等によって異なる。但し、第２の目標温度Ｔ２に向けた第２の出力Ｐ２による暖房運転では、図５に二点鎖線で示すように、給湯に要する時間に比較して、暖房運転開始から第２の目標温度Ｔ２に達する時間は短い。
【００４８】
このため、給湯が終了するタイミングまで浴室２０１の温度を第２の目標温度Ｔ２に維持する運転を行うと、電気消費量が大きくなる。
【００４９】
そこで、第２の目標温度Ｔ２より低い第１の目標温度Ｔ１を設定し、浴槽２０１ａへの給湯のタイミングと連動して浴室２０１の暖房を行う給湯連動暖房運転モードでは、図５に実線で示すように、第１の目標温度Ｔ１に向けて第１の出力Ｐ１で第１の暖房運転ＷＤ１を行う。
【００５０】
これにより、給湯が終了する所定のタイミングまで浴室２０１の温度を第１の目標温度Ｔ１に維持する運転を行っても、従来と比較して電気消費量を抑えることができる。
【００５１】
また、給湯が終了する所定のタイミングに合わせて、第２の目標温度Ｔ２に向けて第２の出力Ｐ２で第２の暖房運転ＷＤ２を行うことで、入浴時には、浴室２０１の温度が入浴に適した第２の目標温度Ｔ２に到達しており、寒さを感じることを抑制することができる。なお、万一、給湯途中で入浴したとしても、浴室２０１の温度が第１の目標温度Ｔ１に到達しており、入浴者が寒さを感じることを抑制することができる。
【００５２】
図６は、給湯連動暖房運転モードにおける浴室温度の変化の他の例を示す説明図、図７は、給湯連動暖房運転モードの他の例を示すフローチャートで、次に、各図を参照して、本実施の形態の浴室暖房換気乾燥装置１Ａ及び浴室暖房システム１００の第２の動作例について説明する。
【００５３】
第１の給湯器操作部３０２ａまたは第２の給湯器操作部３０２ｂで給湯開始ボタンが操作されると、給湯システム３００は、給湯の開始を指示する給湯開始信号Ｓ１００を出力する。給湯システム３００は、給湯開始信号Ｓ１００に基づき、給湯器３０１で浴槽２０１ａに給湯を行う。
【００５４】
浴室暖房換気乾燥装置１Ａの制御部１５は、図７のステップＳＢ１で給湯開始信号Ｓ１００が入力されると、ステップＳＢ２で給湯連動暖房運転モードを実行し、ステップＳＢ３で、温度センサ１４から入力された温度情報に基づき、暖房運転の実行の有無を判断する。
【００５５】
制御部１５は、温度センサ１４から入力された温度情報から、浴室２０１内の温度が暖房開始目標温度Ｔ３未満であると、暖房運転を実行する。
【００５６】
制御部１５は、浴室２０１の温度に基づき給湯連動暖房運転モードで暖房運転を実行すると判断すると、ステップＳＢ４で、第１の起点で第１の目標温度Ｔ１に向けて第１の出力Ｐ１で循環ファン１２及びヒータ１３を制御して第１の暖房運転ＷＤ１を実行する。ステップＳＢ３で、浴室２０１内の温度が暖房開始目標温度Ｔ３以上であると、ステップＳＢ５で暖房運転を実行しない。
【００５７】
制御部１５は、ステップＳＢ６で、浴槽２０１ａへの給湯が終了するタイミングに応じた第２の起点として、給湯システム３００から給湯終了予告信号Ｓ１０１が入力されると、ステップＳＢ７で第２の暖房運転ＷＤ２を実行する。
【００５８】
制御部１５は、第２の暖房運転ＷＤ２では、第２の目標温度Ｔ２に向けて第２の出力Ｐ２で循環ファン１２及びヒータ１３を制御して暖房運転を行う。制御部１５は、ステップＳＢ８で、温度センサ１４から入力された温度情報から、浴室２０１内の温度が第２の目標温度Ｔ２に到達すると、ステップＳＢ９で暖房運転を終了する。なお、制御部１５は、温度センサ１４から入力された温度情報から、浴室２０１内の温度が第２の目標温度Ｔ２に到達すると、暖房運転を間欠的に行って、浴室２０１の温度を第２の目標温度Ｔ２で維持し、予め設定されていた暖房時間を経過すると暖房運転を終了しても良い。
【００５９】
以上説明したように、給湯終了予告信号Ｓ１０１が入力されると、第２の目標温度Ｔ２に向けた第２の暖房運転ＷＤ２を実行することで、入浴開始時には、浴室２０１の温度を入浴に適した第２の目標温度Ｔ２に確実に到達させることができる。なお、給湯連動暖房運転モードの開始時の浴室２０１内の温度が暖房開始目標温度Ｔ３以上であると、第１の起点では暖房運転を実行しないが、給湯システム３００から給湯終了予告信号Ｓ１０１が入力されると、第２の暖房運転ＷＤ２を実行する。給湯連動暖房運転モードの開始時の浴室２０１内の温度がある程度暖かい場合であれば、給湯終了予告信号Ｓ１０１から給湯器連動暖房運転を開始しても、入浴開始時には、浴室２０１の温度を入浴に適した第２の目標温度Ｔ２に確実に到達させることができる。
【００６０】
図８は、給湯連動暖房運転モードにおける浴室温度の変化の他の例を示す説明図、図９は、給湯連動暖房運転モードの他の例を示すフローチャートで、次に、各図を参照して、本実施の形態の浴室暖房換気乾燥装置１Ａ及び浴室暖房システム１００の第３の動作例について説明する。
【００６１】
第１の給湯器操作部３０２ａまたは第２の給湯器操作部３０２ｂで給湯開始ボタンが操作されると、給湯システム３００は、給湯の開始を指示する給湯開始信号Ｓ１００を出力する。給湯システム３００は、給湯開始信号Ｓ１００に基づき、給湯器３０１で浴槽２０１ａに給湯を行う。
【００６２】
浴室暖房換気乾燥装置１Ａの制御部１５は、図９のステップＳＣ１で給湯開始信号Ｓ１００が入力されると、ステップＳＣ２で給湯連動暖房運転モードを実行し、ステップＳＣ３で、温度センサ１４から入力された温度情報に基づき、暖房運転の実行の有無を判断する。
【００６３】
制御部１５は、温度センサ１４から入力された温度情報から、浴室２０１内の温度が暖房開始目標温度Ｔ３未満であると、暖房運転を実行する。
【００６４】
制御部１５は、浴室２０１の温度に基づき給湯連動暖房運転モードで暖房運転を実行すると判断すると、ステップＳＣ４で給湯開始信号Ｓ１００の入力から所定の待機時間ｔｗの経過後を、浴槽２０１ａへの給湯を開始するタイミングに応じた第１の起点とし、ステップＳＣ５で第１の起点で第１の目標温度Ｔ１に向けて第１の出力Ｐ１で循環ファン１２及びヒータ１３を制御して第１の暖房運転ＷＤ１を実行する。待機時間ｔｗは、例えば５分に設定される。ステップＳＣ３で、浴室２０１内の温度が暖房開始目標温度Ｔ３以上であると、ステップＳＣ６で、暖房運転を実行しない。
【００６５】
制御部１５は、ステップＳＣ７で、浴槽２０１ａへの給湯が終了するタイミングに応じた第２の起点として、給湯システム３００から給湯終了信号Ｓ１０２が入力されると、ステップＳＣ８で、第２の暖房運転ＷＤ２を実行する。または、給湯システム３００から給湯終了予告信号Ｓ１０１が入力されると、第２の暖房運転ＷＤ２を実行する。
【００６６】
制御部１５は、第２の暖房運転ＷＤ２では、第２の目標温度Ｔ２に向けて第２の出力Ｐ２で循環ファン１２及びヒータ１３を制御して暖房運転を行う。制御部１５は、ステップＳＣ９で、温度センサ１４から入力された温度情報から、浴室２０１内の温度が第２の目標温度Ｔ２に到達すると、ステップＳＣ１０で暖房運転を終了する。なお、制御部１５は、温度センサ１４から入力された温度情報から、浴室２０１内の温度が第２の目標温度Ｔ２に到達すると、暖房運転を間欠的に行って、浴室２０１の温度を第２の目標温度Ｔ２で維持し、予め設定されていた暖房時間を経過すると暖房運転を終了しても良い。
【００６７】
以上説明したように、給湯開始信号Ｓ１００の入力から所定の待機時間ｔｗの経過後、第１の目標温度Ｔ１に向けた第１の暖房運転ＷＤ１を実行することで、電気消費量をより抑えることができる。
【００６８】
ここで、以上の各動作例では、給湯開始信号Ｓ１００の入力時に浴室２０１内の温度が暖房開始目標温度Ｔ３以上であると、第１の目標温度Ｔ１に向けた第１の暖房運転ＷＤ１は実行せず、第２の起点に到達すると、第２の目標温度Ｔ２に向けた第２の暖房運転ＷＤ２を実行する。なお、給湯開始信号Ｓ１００の入力時に浴室２０１内の温度が暖房開始目標温度Ｔ３以上であると、第１の目標温度Ｔ１に向けた第１の暖房運転ＷＤ１は実行せず、第２の起点に到達する前に、時間の経過、または、浴室２０１内の温度等に基づく判断で、第１の目標温度Ｔ１に向けた第１の暖房運転ＷＤ１を実行し、その後、第２の起点に到達すると、第２の目標温度Ｔ２に向けた第２の暖房運転ＷＤ２を実行しても良い。また、給湯開始信号Ｓ１００の入力時でなくとも、給湯開始信号Ｓ１００の入力後から浴槽２０１ａへの給湯が終了するタイミングに応じた第２の起点に到達するまでの間の所定のタイミング（例えば、給湯開始信号Ｓ１００の入力後から１０分）で浴室２０１内の温度がＴ３以上であると、第１の目標温度Ｔ１に向けた第１の暖房運転ＷＤ１は実行せず、第２の起点に到達すると、第２の目標温度Ｔ２に向けた第２の暖房運転ＷＤ２を実行して良い。
【００６９】
なお、第１の目標温度Ｔ１を複数設定し、段階的に浴室２０１の温度を上昇させても良い。また、制御部１５は、居室温度、浴室２０１の温度、給湯システム３００で設定された給湯温度、外気温等の環境条件情報を取得し、環境条件情報に応じて第１の目標温度Ｔ１を算出して、第１の目標温度Ｔ１を環境条件情報に応じて可変としても良い。
【００７０】
環境条件情報検知手段として、居室温度の検知であれば、台所２０３に備えられる第１の給湯器操作部３０２ａに温度センサを備えることで実現できる。なお、洗面脱衣所２０２に備えられる浴室暖房換気乾燥装置１Ａの操作部１０に温度センサを備えることでも、居室温度の検知する環境条件情報検知手段を実現することができる。
【００７１】
また、環境条件情報検知手段として、浴室２０１の温度の検知であれば、浴室暖房換気乾燥装置１Ａに備えた温度センサ１４、あるいは、浴室２０１に備えられる第２の給湯器操作部３０２ｂに温度センサを備えることで実現できる。更に、環境条件情報検知手段として、給湯温度の検知であれば、第１の給湯器操作部３０２ａまたは第２の給湯器操作部３０２ｂから給湯温度の設定値を取得することで実現できる。また、外気温であれば、建物２００の屋外に備えた温度センサで実現できる。
【００７２】
なお、第１の目標温度Ｔ１は、操作部１０でユーザが設定できるようにしても良い。更に、給湯開始ボタンを浴室暖房換気乾燥装置１Ａの操作部１０に備え、操作部１０で給湯開始ボタンが操作されると、操作部１０から給湯システム３００に給湯開始信号を出力する構成としても良い。このような構成では、浴室２０１に隣接した洗面脱衣所２０２にいるユーザが、浴室２０１に入ることなく、給湯運転を開始し、給湯連動暖房運転モードを実行させることができる。
【００７３】
また、制御部１５は、給湯の開始、終了等に合わせて第２の給湯器操作部３０２ｂから出力される音声を、給湯開始信号、給湯終了予告信号、給湯終了信号として取得しても良い。
【符号の説明】
【００７４】
１Ａ・・・浴室暖房換気乾燥装置、１０・・・操作部（操作手段）、１１・・・換気ファン、１２・・・循環ファン（送風手段）、１３・・・ヒータ（加熱手段）、１４・・・温度センサ（温度検出手段）、１５・・・制御部（制御手段）、１００・・・浴室暖房システム、３００・・・給湯システム、３０１・・・給湯器、３０２ａ・・・第１の給湯器操作部、３０２ｂ・・・第２の給湯器操作部
【図１】
0006988344.tif 000002
【図２】
0006988344.tif 000003
【図３】
0006988344.tif 000004
【図４】
0006988344.tif 000005
【図５】
0006988344.tif 000006
【図６】
0006988344.tif 000007
【図７】
0006988344.tif 000008
【図８】
0006988344.tif 000009
【図９】
0006988344.tif 000010